(57)【特許請求の範囲】
【請求項１】
窓に面して設けたロールスクリーンの繰出し・巻取りをガイドするロールスクリーンのガイド装置において、
前記ロールスクリーンに係合し、ロールスクリーンの繰出し・巻取りをガイドすると共に、繰出し・巻取り可能なガイド部材と、
前記窓の上側に配設され、当該ガイド部材を繰出し・巻取り自在に保持する巻取り機構と、
前記窓の下側に配設され、前記ガイド部材の下端部を係止する係止部材と、
を備え、
前記係止部材は、前記窓の前方に突出しており、
前記係止部材には、突出方向に、前記ガイド部材が係止される複数の係止部位が列設されていることを特徴とするロールスクリーンのガイド装置。
【請求項２】
窓に面して設けたロールスクリーンの繰出し・巻取りをガイドするロールスクリーンのガイド装置において、
前記ロールスクリーンに係合し、ロールスクリーンの繰出し・巻取りをガイドすると共に、繰出し・巻取り可能なガイド部材と、
前記窓の上側に配設され、当該ガイド部材を繰出し・巻取り自在に保持する巻取り機構と、
前記窓の下側に配設され、前記ガイド部材の下端部を係止する係止部材と、
を備え、
前記係止部材は、前記窓の前端面から突出する使用位置と、前記窓の前端面内に収納される収納位置との間で、出没自在に構成されていることを特徴とするロールスクリーンのガイド装置。
【請求項３】
前記係止部材には、突出方向に、前記ガイド部材が係止される複数の係止部位が列設されていることを特徴とする請求項２に記載のロールスクリーンのガイド装置。
【請求項４】
前記ガイド部材は、左右一対の紐状部材からなることを特徴とする請求項１、２または３に記載のロールスクリーンのガイド装置。
【請求項５】
前記ガイド部材は、左右一対の紐状部材と、当該一対の紐状部材の下端部を連結する連結バーとからなることを特徴とする請求項１、２または３に記載のロールスクリーンのガイド装置。
【請求項６】
前記ガイド部材の巻取り機構は、各紐状部材を繰出し・巻取り自在に構成した一対の巻取りリールと、
当該一対の巻取りリールが固着されると共に、回転自在に構成された単一のリール軸と、
当該リール軸を巻取り方向に付勢する付勢部材と
を有することを特徴とする請求項４または５に記載のロールスクリーンのガイド装置。
【請求項７】
前記リール軸は、前記ロールスクリーンの巻取り軸と、同軸上に配設されていることを特徴とする請求項６に記載のロールスクリーンのガイド装置。
【請求項８】
前記リール軸は前記ロールスクリーンの巻取り軸の前方に配設されており、
当該リール軸及び当該巻取り軸を覆うカバーをさらに備えていることを特徴とする請求項６に記載のロールスクリーンのガイド装置。
【発明の詳細な説明】
【０００１】
【発明の属する分野】
本発明は、主として窓の屋外側に設けられるロールスクリーンのガイド装置に関するものである。
【０００２】
【従来の技術】
この種のロールスクリーンのガイド装置として、例えば実開平１−１１４７９２号公報に記載のものが知られている。このガイド装置は、窓の上側に配設されたセットフレームと、当該セットフレームに取り付けられた上部固定部材と、窓の下側に配設された下部固定部材との間に平行に張設された２本のガイドワイヤとで構成されている。セットフレームから繰り出されたロールスクリーンは、この２本のガイドワイヤによってガイドされる。このため、ロールスクリーンの風によるばたつきを防止することができる。この場合、各ガイドワイヤは、上端をセットフレームに、下端を基礎上に、それぞれ固定的に設けられている。
【０００３】
【発明が解決しようとする課題】
このような従来のガイド装置は、左右２本のガイドワイヤによって、ロールスクリーンの風によるばたつきを防止することはできるが、これらガイドワイヤが固定的に設けられているため、ロールスクリーンを使用しない場合でも、常に張った状態で懸架されており、外観上好ましくないばかりでなく、じゃまになる問題があった。
【０００４】
本発明は、繰り出されたロールスクリーンを安定的に保持することができると共に、ロールスクリーンを使用しない場合においてじゃまになることのない、ロールスクリーンのガイド装置を提供することを目的としている。
【０００５】
【課題を解決するための手段】
本発明のロールスクリーンのガイド装置は、窓に面して設けたロールスクリーンの繰出し・巻取りをガイドするロールスクリーンのガイド装置において、ロールスクリーンに係合し、ロールスクリーンの繰出し・巻取りをガイドすると共に、繰出し・巻取り可能なガイド部材と、窓の上側に配設され、ガイド部材を繰出し・巻取り自在に保持する巻取り機構と、窓の下側に配設され、ガイド部材の下端部を係止する係止部材と、を備え、係止部材は、窓の前方に突出しており、係止部材には、突出方向に、ガイド部材が係止される複数の係止部位が列設されていることを特徴とする。
【０００６】
この構成によれば、まず、ガイド部材を巻取り機構から引き出して、係止部材に係止しておき、この状態でロールスクリーンの繰出し・巻取りをガイドするようにする。ロールスクリーンは日除け用に引き出された状態では、ガイド部材によって、保持されているため、ロールスクリーンが風に煽られることがなく、安定した状態を保つことができる。また、ロールスクリーンを使用しない場合には、巻取り機構によって、ガイド部材を巻き取ることができるため、巻取り機構がじゃまにならず、窓の外観を損ねることもない。
また、日差しや風の状態によって、ガイド部材を係止する係止部位を変えて、ロールスクリーンと窓との間の距離や、ロールスクリーンの張り角度を自在に調節することができる。
【０００７】
本発明の他のロールスクリーンのガイド装置は、窓に面して設けたロールスクリーンの繰出し・巻取りをガイドするロールスクリーンのガイド装置において、ロールスクリーンに係合し、ロールスクリーンの繰出し・巻取りをガイドすると共に、繰出し・巻取り可能なガイド部材と、窓の上側に配設され、ガイド部材を繰出し・巻取り自在に保持する巻取り機構と、窓の下側に配設され、ガイド部材の下端部を係止する係止部材と、を備え、係止部材は、窓の前端面から突出する使用位置と、窓の前端面内に収納される収納位置との間で、出没自在に構成されていることを特徴とする。
【０００８】
この構成によれば、まず、ガイド部材を巻取り機構から引き出して、係止部材に係止しておき、この状態でロールスクリーンの繰出し・巻取りをガイドするようにする。ロールスクリーンは日除け用に引き出された状態では、ガイド部材によって、保持されているため、ロールスクリーンが風に煽られることがなく、安定した状態を保つことができる。また、ロールスクリーンを使用しない場合には、巻取り機構によって、ガイド部材を巻き取ることができるため、巻取り機構がじゃまにならず、窓の外観を損ねることもない。
また、ロールスクリーンを使用する場合には、係止部材を窓の前端面から突出した状態とし、使用しない場合には、窓の前端面内に収納して、不必要な係止部材を、目立たなくすることができるため、より一層じゃまにならず、外観を損ねることがない。
【０００９】
この場合、係止部材には、突出方向に、ガイド部材が係止される複数の係止部位が列設されていることが、好ましい。
【００１０】
この構成によれば、日差しや風の状態によって、ガイド部材を係止する係止部位を変えて、ロールスクリーンと窓との間の距離や、ロールスクリーンの張り角度を自在に調節することができる。
【００１１】
これらの場合、ガイド部材は、左右一対の紐状部材からなることが、好ましい。
【００１２】
この構成によれば、左右一対の紐状部材によってロールスクリーンの両側をガイドするため、強風時でもロールスクリーンが煽られることなく、ロールスクリーンをより安定した状態を保つことができる。
【００１３】
同様に、ガイド部材は、左右一対の紐状部材と、一対の紐状部材の下端部を連結する連結バーとからなることが、好ましい。
【００１４】
この構成によれば、左右一対の紐状部材によってロールスクリーンの両側をガイドするため、強風時でもロールスクリーンが煽られることがない。また、左右一対の紐状部材を繰り出したり、巻き取る場合に、両紐状部材を連結する連結バーが取り付けられているため、両紐状部材を同時に繰り出したり、巻き取ったりすることができる。
【００１５】
これらの場合、ガイド部材の巻取り機構は、各紐状部材を繰出し・巻取り自在に構成した一対の巻取りリールと、一対の巻取りリールが固着されると共に、回転自在に構成された単一のリール軸と、リール軸を巻取り方向に付勢する付勢部材とを有することが、好ましい。
【００１６】
この構成によれば、両紐状部材の巻取り機構が、一対の巻取りリールを固着した単一のリール軸を有しているため、一対の紐状部材の繰出し・巻取りを同時に行うことができる。より具体的には、例えば一対の紐状部材を連結する連結バーが取り付けられている場合、バーの左右いずれか片側を引き出しても、両紐状部材は平行かつ同時に繰り出し・巻き取りが行われる。また、リール軸を付勢する付勢部材を有しているため、両紐状部材を、自動的に巻き取ることができる。
【００１７】
この場合、リール軸は、ロールスクリーンの巻取り軸と、同軸上に配設されていることが、好ましい。
【００１８】
この構成によれば、２つの軸が同軸上にあるため、ロールスクリーンと共に装置自体を狭いスペースに収容することができ、全体としてコンパクトに構成することができる。
【００１９】
同様に、リール軸はロールスクリーンの巻取り軸の前方に配設されており、リール軸及び巻取り軸を覆うカバーをさらに備えていることが好ましい。
【００２０】
この構成によれば、２つの軸が前後に配設されるため、２つの軸を覆うカバーもその分、窓から前方に大きく突出する。このため、このカバーに窓に設ける庇の機能を持たせることができる。また、巻き取られたロールスクリーンや、ガイド部材等が風雨に曝されることがないため耐久性に優れ、外観上も好ましい。
【００２１】
【発明の実施の形態】
以下、本発明の一実施形態を、図面を参照しながら詳細に説明する。
【００２２】
図１は、本発明のガイド装置を用いて、ロールスクリーンを途中まで繰り出した状態を表した外観斜視図であり、図２は、ロールスクリーンを巻き取った状態を表した外観斜視図である。両図に示すように、建物の引違い窓１に面して、ロールスクリーン２が設けられると共に、ロールスクリーン２の繰出し・巻取りをガイドするガイド装置３が設けられている。この場合、ガイド装置３はそのカバー４に対し、ロールスクリーン２と同様に繰出し・巻取り可能に収容される。
【００２３】
引違い窓１は、２枚の障子６，６と窓枠７によって構成されており、ロールスクリーン２は、この引違い窓１の全面を覆う幅および長さを有している。また、ガイド装置３のカバー４は、引違い窓１の上側に配設され、引違い窓１の庇としても機能している。
【００２４】
ロールスクリーン２は、図３に示すように、上記のカバー４内に収納されたスクリーン巻取り機構１１と、スクリーン巻取り機構１１によって繰出し・巻取り自在なロールスクリーン本体１２と、ロールスクリーン本体１２の下端部に取り付けられたボトムバー１３とによって、構成される。また、ボトムバー１３の左右中間位置には、ロールスクリーン本体１２を繰り出すための把手１４が取り付けられている。スクリーン巻取り機構１１は、その巻取り軸１５に内蔵した巻きばね（図示省略）により、ロールスクリーン本体１２を巻取る方向に付勢すると共に、逆止め機構（図示省略）により、ロールスクリーン本体１２を任意の位置まで繰り出して停止させ得るようになっている。
【００２５】
ガイド装置３は、引違い窓１の上側に配設した上記のカバー４と、カバー４内に配設したガイド巻取り機構２１と、ガイド巻取り機構２１によって繰出し・巻取り可能なガイド部材２２と、引違い窓１の下側に配設され、繰り出したガイド部材２２を係止する、左右一対の係止部材２３，２３とを備えている。
【００２６】
図１および図３に示すように、ガイド部材２２は上記ロールスクリーン本体１２とほぼ同幅にかつ相互に平行に配設した一対のガイドワイヤ（紐状部材）２５，２５と、両ガイドワイヤ２５，２５の下端部を連結する連結バー２６とを有している。両ガイドワイヤ２５，２５は、上記のガイド巻取り機構２１から繰り出されると共に、これに巻き取られる。両ガイドワイヤ２５，２５はボトムバー１３の両端部にそれぞれ形成した貫通孔１６に貫通しており、繰り出した状態で、ロールスクリーン本体１２の繰出しおよび巻取りをガイドする。なお、連結バー２６にも、ボトムバー１３と同様に把手を取り付けることが好ましい。
【００２７】
ガイド巻取り機構２１は、スクリーン巻取り機構１１と共にカバー４内に収納されており、２本のガイドワイヤ２５，２５をそれぞれ巻き取る一対の巻取りリール２８，２８と、一対の巻取りリール２８，２８が固着された単一のリール軸２９と、リール軸２９に内蔵した巻きばね（付勢部材）３０とで構成される。
【００２８】
リール軸２９の両端部は、カバー４内に配設した左右一対のブラケット３２，３２に回転自在に支持されており、また一対のブラケット３２，３２はカバー４の天板３５に固定されている。また、このブラケット３２にはロールスクリーン２の巻取り軸１５も回転自在に支持されている。リール軸２９と連結バー２６とは平行に配設され、２本のガイドワイヤ２５，２５は平行かつ同時に、繰り出され、巻き取られる。
【００２９】
一対の係止部材２３は、窓枠７の左右下端に下側からそれぞれ取り付けられている。各係止部材２３は基部を中心に、窓枠７の前端から前方に突出する使用位置と、窓枠７の前端内に収納される収納位置との間で回動する（図１および図２参照）。すなわち、係止部材２３を使用しないときには、収納位置に回動させておくようにする。また、各係止部材２３の下面には、連結バー２６が係止される複数の係止部位２３ａが突出方向に列設されている。連結バー２６をいずれの係止部位２３ａに係止するかにより、ロールスクリーン（ロールスクリーン本体１２）２と引違い窓１との間の距離や、ロールスクリーン２の張り角度を調節することができる。なお、係止部材２３を、折畳み自在或いは伸縮自在に構成してもよい。また、係止部材２３またはその係止部位２３ａを、引違い窓１に外側に設けたフラワーボックスや手すりの袖部分に組み込んでもよい。
【００３０】
カバー４は、前板３４、天板３５、底板３６および左右の端部キャップ３７，３７によって構成され、引違い窓１の上側において建物の外壁に固定されている。底板３６には、ガイドワイヤ２５およびロールスクリーン本体１２を繰り出すための開口が形成され、この開口縁部に、ガイドワイヤ２５およびロールスクリーン本体１２を巻き取ったときに、それぞれ連結バー２６およびロールスクリーンのボトムバー１３が係合する受け部３８が形成されている。
【００３１】
ここで、図１および図２を参照して、以上のように構成された本発明のロールスクリーン２のガイド装置３の使用方法について説明する。先ず、図２の状態から、左右一対の係止部材２３，２３を使用位置に回動させて、これを突出させる。次に、連結バー２６を下方に引いて、ガイド巻取り機構２１から２本のガイドワイヤ２５，２５を同時に繰り出すと共に、連結バー２６を両係止部２３，２３材に係止する。この状態では、２本のガイドワイヤ２５，２５が、ガイド巻取り機構２１の巻きばね３０に引かれ、張った状態となる。
【００３２】
このようにして、２本のガイドワイヤ２５，２５を張った状態で、把手１４を持ってロールスクリーン本体１２を引き出すと、ロールスクリーン本体１２は、左右の両端部を両ガイドワイヤ２５，２５にガイドされて繰り出される。もちろん、ロールスクリーン本体１２は、任意の位置に停止させることができ、かつ停止したロールスクリーン本体１２は、いったん下方へ引いてから離すことで自動的に巻き取られる。同様に、ガイドワイヤ２５は、連結バー２６を係止部材２３から外して、離すことで自動的に巻き取られる。
【００３３】
以上のように、ロールスクリーン２はガイドワイヤ２５によってガイドされながら繰り出され、かつ繰り出された状態でガイドワイヤ２５に保持されるため、ロールスクリーン２を中間で止めた場合（図１）においても、風に煽られることがなく、安定した状態を保つことができる。しかも、ロールスクリーン２を使用しない場合には、ガイドワイヤ２５（ガイド部材２２）を巻き取ることができ、かつ係止部材２３を収納することができるため、これらが、じゃまにならず引違い窓１の外観を損ねることがない。
【００３４】
また、２本のガイドワイヤ２５，２５は下端部で連結バー２６により連結され、かつ単一のリール軸２９により巻き取られるため、連結バー２６の左右いずれか片側を引き出しても、２本のガイドワイヤ２５，２５を、平行かつ同時に繰り出し、巻き取ることができる。
【００３５】
さらに、係止部材２３に複数の係止部位２３ａが列設されているため、ロールスクリーン２と引違い窓１との間の距離や、ロールスクリーン２の張り角度を調節することができる。これによって、ロールスクリーン２と引違い窓１との距離を近づけると、遮光性が増し、距離を広げると、柔らかな日差しと通風効果が得られる。
【００３６】
次に、図４を参照して、第１実施形態とリール軸２９の配設位置を異にする、第２実施形態について説明する。この実施形態における、ガイド装置３のガイド巻取り機構２１は、２本のガイドワイヤ２５，２５を巻き取る一対の巻取りリール２８，２８と、一対の巻取りリール２８，２８が固着された単一のリール軸２９と、巻きばね（付勢部材）３０とで構成されており、リール軸２９はロールスクリーン２の巻取り軸１５と同軸上で、かつ巻取り軸１５の内部に挿通するように配設されている。
【００３７】
この実施形態によれば、リール軸２９とロールスクリーン２の巻取り軸１５とが同軸上に配設されているため、２つの軸２９，１５を別の位置に設けた場合と比べて、全体をコンパクトに構成することができる。また、側面から見た場合、ガイドワイヤ２５とロールスクリーン本体１２の端部のラインが常に平行で、重なり合うため、すっきりしたデザインとなる。
【００３８】
次に、図５を参照して、第１実施形態とリール軸２９の配設位置を異にする第３実施形態について説明する。この実施形態における、ガイド装置３のガイド巻取り機構２１は、２本のガイドワイヤ２５，２５を巻き取る一対の巻取りリール２８，２８と、一対の巻取りリール２８，２８が固着された単一のリール軸２９と、巻きばね（付勢部材）３０とで構成されており、リール軸２９はロールスクリーン２の巻取り軸１５の前方に、配設される。また、カバー４は、前後に配設されたリール軸２９とロールスクリーン２の巻取り軸１５とを覆うように、前方に大きく突出している。
【００３９】
この実施形態によれば、リール軸２９とロールスクリーン２の巻取り軸１５とが前後に配設されるため、２つの軸２９，１５を覆うカバー４もその分引違い窓１から前方に大きく突出する。このため、カバー４は、違い窓１の庇として十分な機能を有し、雨天の場合や日差しの強いときに有効である。なお、このカバー４を雨滴が落ちやすいように、前下がりに形成してもよい。
【００４０】
なお、本発明のロールスクリーンのガイド装置におけるガイド部材が、実施形態のワイヤに限定されるものではなく、帯状或いは紐状の部材であってもよい。また、その本数も、２本に限らず１本または複数本で構成してもよい。さらに、このガイド装置は、通常の垂直の窓だけでなく、天窓や、傾斜窓にも使用できることは言うまでもない。またさらに、ロールスクリーンの把手の部分にレバーを設け、このレバー操作でロールスクリーンをガイドワイヤの任意の位置に停止（比較的弱い力で係止）させる構造とすれば、ガイド部材の巻取りとロールスクリーンの巻取りとを同時に行うことができる。
【００４１】
【発明の効果】
以上のように、本発明のロールスクリーンのガイド装置によれば、ガイド部材によって、ロールスクリーンを安定的に保持することができると共に、ロールスクリーンを使用しない場合には、不必要なガイド部材や係止部材などを収納することができるため、じゃまになることがなく、外観上好ましい。
【図面の簡単な説明】
【図１】本発明の一実施形態に係るガイド装置にガイドさせたロールスクリーンの半開状態を表す外観斜視図である。
【図２】図１のロールスクリーンの全開状態であると共に、係止部材を収納した状態の外観斜視図である。
【図３】第１実施形態に係るガイド装置およびロールスクリーンの構造図である。
【図４】第２実施形態に係るガイド装置およびロールスクリーンの構造図である。
【図５】第３実施形態に係るガイド装置およびロールスクリーンの構造図である。
【符号の説明】
１  引違い窓、２  ロールスクリーン、３  ガイド装置、４  カバー、１１  スクリーン巻取り機構、１２  ロールスクリーン本体、１３  ボトムバー、１５巻取り軸、２１  ガイド巻取り機構、２２  ガイド部材、２３  係止部材、２３ａ  係止部位、２５  ガイドワイヤ、２６  連結バー、２８  巻取りリール、２９  リール軸、３０  巻きばね
【図１】
0003655746.tif 000002
【図２】
0003655746.tif 000003
【図３】
0003655746.tif 000004
【図４】
0003655746.tif 000005
【図５】
0003655746.tif 000006